(57)【要約】【課題】プラスチックフィルムとしての強度面、使い勝手、コスト面での優秀性を保ちながら、開封を極めて容易にできるようにする。【解決手段】食品用容器（７）の開口端部（８）に接着又は溶着されると共に、外周部に開封用のタブ（２）を備えたプラスチックフィルム製容器蓋（１）において、このタブに切れ目（４）を設ける。切れ目は、タブの外縁から内方に、又はタブの外縁の内側から内方に延びるようにするとよい。切れ目は、破線状に形成されるとよい。切れ目は、タブ位置の開口端部に対し略直角に延びるようにするとよい。【選択図】        図１
2004217263.tif 000002
【特許請求の範囲】
【請求項１】
食品用容器（７）の開口端部（８）に接着又は溶着されると共に外周部に開封用のタブ（２，１２，２２）を備えたプラスチックフィルム製容器蓋（１，１１，２１）において、前記タブに切れ目（４，１４，２４）を設けたことを特徴とするプラスチックフィルム製容器蓋。
【請求項２】
前記切れ目（４）は、前記タブ（２）の外縁（３）から内方に延びることを特徴とする請求項１に記載のプラスチックフィルム製容器蓋。
【請求項３】
前記切れ目（１４）は、前記タブ（１２）の外縁（１３）の内側から内方に延びることを特徴とする請求項１に記載のプラスチックフィルム製容器蓋。
【請求項４】
前記切れ目（２４）は、破線状に形成されたことを特徴とする請求項１ないし３のいずれかに記載のプラスチックフィルム製容器蓋。
【請求項５】
前記切れ目（４，１４，２４）は、前記タブ（２，１２，２２）位置の前記開口端部（８）に対し略直角に延びることを特徴とする請求項１ないし４のいずれかに記載のプラスチックフィルム製容器蓋。
【発明の詳細な説明】
【０００１】
【発明の属する技術分野】
本発明は、食品用容器の開口端部に接着又は溶着されるプラスチックフィルム製容器蓋に関する。
【０００２】
【従来の技術】
従来の食品用容器の開口端部に接着又は溶着される容器蓋は、紙製、アルミ箔製、プラスチックフィルム製などに大別される。このうちプラスチックフィルム製のものは、強度的に優れ、容器への溶着も可能で使い勝手がよく、コスト面からも有利であるため、現在様々な食品用容器に使用されていることは周知のとおりである。また、特定の先行技術文献を知るところではないが、蓋の開封を容易にするため、図４（ａ）に示すように、外周部に開封用のタブ３２が設けられている。
【０００３】
しかしながら、この従来の食品用容器に使用されるプラスチックフィルム製容器蓋は、機密性と輸送時の破損防止の観点から、容器への接着又は溶着力を低下させることはできない。このため、外周部に開封用のタブ３２が設けられてはいるが、特に蓋３１の引き剥がし開始時には、図４（ｂ）に示すように、かなりの巾Ｙの接着又は溶着面について一気に剥がさなければならず、引き剥がしにその巾に比例した大きな力を必要とする。また、プラスチックフィルム製の場合には、紙製、アルミ箔製とは異なり、引き裂くことも容易ではないため、２片以上に分けて開封することも難しい。
【０００４】
食品用容器は、老人、女性、子供等が日常的に取り扱うものである。しかしながら、この老人、女性、子供等は指のつまみ力が弱いため、蓋を引き剥がすことが困難であり、カッター、包丁の刃先等を用いて、蓋を容器の内側に沿って切り開くことが必要になる場合もしばしば発生する。このとき、カッター等の刃先で内容物を傷つけてしまうこともある。この一方、力を入れて蓋を無理に引き剥がそうとすると、その反動で内容物が外に飛び出したり形がくずれたりすることがある。特に内容物が食品の場合には、これを廃棄せざるを得なくなる場合も起こる。
【０００５】
【発明が解決しようとする課題】
本発明はこのような問題を解決するためになされたもので、プラスチックフィルムとしての強度面、使い勝手、コスト面での優秀性を保ちながら、開封を極めて容易にできるようにしたプラスチックフィルム製容器蓋を提供することを課題とする。
【０００６】
【課題を解決するための手段】
上述の課題を解決するために、本発明が採用する手段は、食品用容器の開口端部に接着又は溶着されると共に外周部に開封用のタブを備えたプラスチックフィルム製容器蓋において、このタブに切れ目を設けたことにある。切れ目は複数設けてもよい。
【０００７】
タブに切れ目を設けたことにより、開封時にタブを容易に２片以上に裂くことができる。タブを２片以上に裂くと、それぞれのタブにより剥がし始める時の接着又は溶着面の巾は、容器の開口端部の半径方向巾に近いものとなり極めて狭くなるため、指のつまみ力の弱い老人、女性、子供等であっても容易に蓋を剥がし始めることができる。容器の開口端部の内縁まで剥がせば、その後は比較的弱い力で剥がすことができる。また、タブが２片以上に裂かれることにより、プラスチックフィルム製容器蓋全体を２以上に分割して開封することもできる。この場合には、その後の開封がさらにスムーズになる。
【０００８】
切れ目は、タブの外縁から内方に、又はタブの外縁の内側から内方に延びるようにするとよい。前者の場合には、外縁に裂け目があるから蓋の引き裂きが極めて容易となり、後者の場合には、外縁は繋がっているから、切れ目の入ったタブが商品の販売時等にこの切れ目を境として互い違いに折れ曲がることがなく、見栄えの点で優れたものとなる。
【０００９】
切れ目は、破線状に形成されるとよい。破線状に形成すれば、蓋の引き裂きが容易になると共に、切れ目の入ったタブが切れ目を境として互い違いに折れ曲がることもなく、見栄えにおいても優れたものとなる。
【００１０】
切れ目は、タブ位置の開口端部に対し略直角に延びるようにするとよい。これにより、特に切れ目が１つの場合には、各タブ片についてほぼ均等の力で引き剥がすことができる。
【００１１】
【発明の実施の形態】
本発明に係るプラスチックフィルム製容器蓋の発明の実施の形態を、図１ないし図３を参照して詳細に説明する。
【００１２】
図１（ａ）に示すように、プラスチックフィルム製容器蓋１は、容器７の開口端部８に接着又は溶着により貼り付けられる。この蓋１は、その外周部に開封用のタブ２を有する。図１（ｂ）に示すように、タブ２には、その外縁３から内方に、かつタブ２位置の開口端部８に対し略直角に延びる切れ目４が設けられる。この蓋１は、プラスチックフィルム製であるから、紙製、アルミ箔製等に比べて強度的に強く、また接着又は溶着により容器７に貼り付けることができるから使い勝手がよく、しかも安価である。
【００１３】
図２に示すように、蓋１を開封するときには、切れ目４によって２分割されたタブ２の一片２ａを指でつまみ上げる。容器蓋１にタブ２の外縁３から内方に延びる切れ目４を設けたから、通常は裂けにくいプラスチックフィルム製容器蓋１であっても、蓋１の内方に容易に裂くことができる。また、タブ片２ａにより剥がし始める時の接着又は溶着面の巾Ｘは、容器の開口端部の半径方向巾Ｗに近いものとなる。この巾Ｘは、図４（ｂ）に示した従来の容器蓋３１における剥がし始め時の接着又は溶着面の巾Ｙと比較して、極めて狭い。したがって、蓋１を極めて弱い力で剥がし始めることができる。
【００１４】
切れ目４はタブ２位置の開口端部８に対し略直角に延びるから、もう一方のタブ片についても、上述したタブ片２ａとほぼ均等の力で引き剥がすことができる。さらに、タブ２が２片に裂かれることにより、プラスチックフィルム製容器蓋１全体を２分割して開封することもできる。この場合には、その後の開封がさらにスムーズになる。このように、本プラスチックフィルム製容器蓋１は、指のつまみ力の弱い老人、女性、子供等であっても容易に蓋を剥がすことができ、これらの者が日常的に取り扱うことが多い食品用容器についてはその効果は極めて大きい。また、蓋１の引き剥がしに必要な力は極めて弱いから、反動で内容物が外に飛び出したり、形がくずれたりすることもない。
【００１５】
また、図３（ａ）に示すように、切れ目１４をタブ１２の外縁１３の内側から内方に延びるように形成することもできる。この蓋１１の場合、タブ１２の外縁１３は繋がっているが、タブ１２を両側に引っ張れば、外縁１３が引き裂かれて上述した容器蓋１と同様のタブ片１２ａ，１２ｂが形成され、その後は容器蓋１の場合と同様にして開封することができる。この蓋１１のタブ１２の外縁１３には裂け目がないから、商品の販売時等に、切れ目１４を境として両側のタブ片１２ａ，１２ｂが互い違いに折れ曲がることもなく、見栄えの点で優れたものとなる。その他は、上述したタブ２と同様である。
【００１６】
さらに、図３（ｂ）に示すように、タブ２２の切れ目２４を破線状に形成することもできる。破線状に形成すれば、蓋２１の引き裂きが容易であると共に、タブ２２が切れ目２４を境として互い違いに折れ曲がることもなく、見栄えにおいても優れたものとなる。この破線状の切れ目は、図３（ｂ）に拘わらず、タブ２２の外縁２３から延びるものでもよい。その他は、上述したタブ２と同様である。
【００１７】
なお、切れ目は１つのタブに複数設けてもよい。また、必ずしも内方へのものでなくてもよい。さらに、タブ位置の開口端部に対し略直角に延びるものでなくてもよい。切れ目は、図１及び３に拘わらず、開口端部の外縁にまで、さらには開口端部の接着又は溶着面内にまで及ぶものでもよい。一方、容器は、その開口端部が必ずしも円形のものに限定されるものではない。例えば開口端部が多角形のものは、蓋の剥がし始めに要する力等を考慮して、タブは通常角部に設けられ、直線状の辺部には設けられない。しかし、本プラスチックフィルム製容器蓋によれば、必要によりタブを辺部に設けることも可能となる。
【００１８】
【発明の効果】
以上詳細に説明したように、本発明のプラスチックフィルム製容器蓋は、食品用容器の開口端部に接着又は溶着されると共に外周部に開封用のタブを備え、このタブに切れ目を設けたから、プラスチックフィルムとしての強度面、使い勝手、コスト面での優秀性を保ちながら、開封が極めて容易になるという優れた効果を奏する。
【図面の簡単な説明】
【図１】（ａ）は本発明に係るプラスチックフィルム製容器蓋を用いた容器を示す斜視図であり、（ｂ）は蓋１を示す平面図である。
【図２】図１の容器蓋１を開封する状態を示す斜視図である。
【図３】（ａ）は別のプラスチックフィルム製容器蓋１１を示す平面図であり、（ｂ）はさらに別のプラスチックフィルム製容器蓋２１を示す平面図である。
【図４】（ａ）は従来のプラスチックフィルム製容器蓋を用いた容器を示す斜視図であり、（ｂ）は蓋３１を示す平面図である。
【符号の説明】
１  蓋
２  タブ
２ａ  タブ片
３  外縁
４  切れ目
７  容器
８  開口端部
１１  蓋
１２  タブ
１２ａ，１２ｂ  タブ片
１３  外縁
１４  切れ目
２１  蓋
２２  タブ
２３  外縁
２４  切れ目
３１  蓋
３２  タブ
Ｗ，Ｘ，Ｙ  巾
【図１】
2004217263.tif 000003
【図２】
2004217263.tif 000004
【図３】
2004217263.tif 000005
【図４】
2004217263.tif 000006